(57)【特許請求の範囲】
【請求項１】
シート貼付面を有する対象物に離間接近することで所定処理を施す被移動体を備えた処理装置に用いられるシート貼付装置であって、
接着シートを供給する供給手段と、この供給手段から供給された接着シートを所定の受取位置で保持する保持面を備えた保持手段とを含み、
前記対象物に対して異なる処理又は、同じ処理を施す複数の処理装置におけるそれぞれの被移動体に前記保持手段を付け替えて保持させることが可能な共通の接続手段を備えていることを特徴とするシート貼付装置。
【請求項２】
シート貼付面を有する対象物に離間接近することで所定処理を施す被移動体を備えた処理装置に用いられるシート貼付装置であって、
接着シートを供給する供給手段と、この供給手段から供給された接着シートを所定の受取位置で保持する保持面を備えた保持手段とを含み、
前記処理装置は、包装シートに離間接近することで当該包装シートをシール可能なヒータを備えたシール装置であって、
前記保持手段は、接続手段を介して前記ヒータに連結可能に設けられていることを特徴とするシート貼付装置。
【請求項３】
前記接続手段は、前記保持手段を揺動可能な揺動手段を有することを特徴とする請求項１又は２記載のシート貼付装置。
【請求項４】
前記接続手段は、ダンパー手段を有することを特徴とする請求項１、２又は３記載のシート貼付装置。
【請求項５】
前記受取位置における前記保持手段と供給手段との相対位置を位置決め可能な位置決め手段を有することを特徴とする請求項１乃至４の何れかに記載のシート貼付装置。
【請求項６】
請求項１記載のシート貼付装置を用いたシート貼付方法であって、
前記対象物に対して異なる処理又は、同じ処理を施す複数の処理装置におけるそれぞれの被移動体に共通の接続手段を介して保持手段を付け替える工程と、
供給手段により接着シートを供給する工程と、
前記保持手段の保持面により前記供給手段から供給された接着シートを保持する工程と、
前記被移動体を移動して前記所定処理を行い、前記保持面に保持された接着シートを前記シート貼付面に貼付する工程とを備えていることを特徴とするシート貼付方法。
【発明の詳細な説明】
【技術分野】
【０００１】
本発明は、シート貼付装置及び貼付方法に係り、更に詳しくは、シート貼付面を有する対象物に所定処理を施す装置に用いられて接着シートを貼付することができるシート貼付装置及び貼付方法に関する。
【背景技術】
【０００２】
従来より、被着体にラベル等の接着シートを貼付するシート貼付装置が広く利用されており、かかるシート貼付装置としては、例えば、特許文献１に開示されている。特許文献１のシート貼付装置は、接着シートを供給する供給手段と、供給手段から供給された接着シートを保持する保持手段と、保持手段を被着体に向かって移動させるシリンダとを備えている。
【先行技術文献】
【特許文献】
【０００３】
【特許文献１】特開平１１−２０８６２９号公報
【発明の概要】
【発明が解決しようとする課題】
【０００４】
ところで、特定の配送物を包装シート等により包み込んで、封をする場合、当該封を行う処理装置において、封と同時に、配送先住所等の所定の印刷や印字がなされた接着シートの貼付も行えるようにする要請がある。
しかしながら、特許文献１のシート貼付装置にあっては、シート保持手段がシリンダの出力軸だけにしか支持されることができない構成となっている。従って、シート保持手段をシリンダから取り外しても、前述のような処理装置に利用できるものでないため、処理装置にて被着体に所定処理を行った後、当該被着体を処理装置とは別体として配置されたシート貼付装置に搬送する必要があり、工程が長時間化する、という不都合を招来する。
【０００５】
［発明の目的］
本発明の目的は、他の装置に連結して簡単に用いることができるシート貼付装置及び貼付方法を提供することにある。
【課題を解決するための手段】
【０００６】
前記目的を達成するため、本発明は、シート貼付面を有する対象物に離間接近することで所定処理を施す被移動体を備えた処理装置に用いられるシート貼付装置であって、
接着シートを供給する供給手段と、この供給手段から供給された接着シートを所定の受取位置で保持する保持面を備えた保持手段とを含み、
前記対象物に対して異なる処理又は、同じ処理を施す複数の処理装置におけるそれぞれの被移動体に前記保持手段を付け替えて保持させることが可能な共通の接続手段を備える、という構成を採っている。
【０００７】
また、本発明は、シート貼付面を有する対象物に離間接近することで所定処理を施す被移動体を備えた処理装置に用いられるシート貼付装置であって、
接着シートを供給する供給手段と、この供給手段から供給された接着シートを所定の受取位置で保持する保持面を備えた保持手段とを含み、
前記処理装置は、包装シートに離間接近することで当該包装シートをシール可能なヒータを備えたシール装置であって、
前記保持手段は、接続手段を介して前記ヒータに連結可能に設けられる、という構成を採用できる。
【０００８】
更に、前記接続手段は、前記保持手段を揺動可能な揺動手段を有する、という構成を採ってもよい。
【０００９】
また、前記接続手段は、ダンパー手段を有する、という構成も好ましくは採用される。
【００１０】
更に、前記受取位置における前記保持手段と供給手段との相対位置を位置決め可能な位置決め手段を有するとよい。
【００１１】
また、本発明の貼付方法は、請求項１記載のシート貼付装置を用いたシート貼付方法であって、
前記対象物に対して異なる処理又は、同じ処理を施す複数の処理装置におけるそれぞれの被移動体に共通の接続手段を介して保持手段を付け替える工程と、
供給手段により接着シートを供給する工程と、
前記保持手段の保持面により前記供給手段から供給された接着シートを保持する工程と、
前記被移動体を移動して前記所定処理を行い、前記保持面に保持された接着シートを前記シート貼付面に貼付する工程とを備える、という方法を採っている。
【発明の効果】
【００１２】
本発明によれば、接続手段を介して保持手段が被移動体に連結されるので、保持手段をシート貼付装置とは異なる別体の装置等に簡単に組み合わせて用いることができる。これにより、被移動体の移動に伴って保持手段も移動でき、当該移動により、保持手段に保持された接着シートをシート貼付面に押圧したり接近したりすることが可能となる。この結果、前述した従来のシート貼付装置単体に設けるシリンダを排除することができ、また、前述の処理装置からシート貼付装置に搬送する工程をなくして単位時間当たりの処理能力を向上させることができる。
【００１３】
また、保持手段を揺動可能な揺動手段を有するので、シート貼付面が傾斜していても、その傾斜に追従して保持手段を変位させて接着シートの貼付を良好に行うことが可能となる。
【００１４】
更に、ダンパー手段を有する場合、シート貼付面の位置が変化しても、その変化に応じて保持手段を変位させることができる。しかも、保持手段によって接着シートをシート貼付面に押圧する場合、ダンパー手段の緩衝作用により押圧力を所定範囲内として接着シートを良好に貼付することが可能となる。
【００１５】
また、位置決め手段を有する場合、保持手段を受取位置に精度良く配置させることが可能となり、ひいては、接着シートが位置ずれすることがなくなり、貼付精度を向上させることができる。
【図面の簡単な説明】
【００１６】
【図１】（Ａ）は、実施形態に係るシート貼付装置及びシール装置の概略正面図、（Ｂ）及び（Ｃ）は、接着シート貼付時の保持手段の動作説明図。
【図２】図１（Ａ）の概略斜視図。
【発明を実施するための形態】
【００１７】
以下、本発明の実施の形態について図面を参照しながら説明する。
なお、本明細書において、特に明示しない限り、「上」、「下」、「左」、「右」は、図１を基準として用いる。
【００１８】
図１及び図２において、シート貼付装置１０は、処理装置となるシール装置１１に組み合わされて用いられる。シート貼付装置１０及びシール装置１１は、対象物Ｗを図１中紙面直交方向に搬送するベルトコンベア等からなる搬送手段ＣＶに並設され、対象物Ｗは、２枚折りの包装シートＷ１及び当該包装シートＷ１の内側に配置される梱包物Ｗ２からなり、上面がシート貼付面Ｗ３となっている。シール装置１１は、平行となる一対の側方体１５Ａ及びこれらの一端側を連結する中間体１５Ｂにより形成された平面視コ字状の被移動体となるヒータ１５と、このヒータ１５を上下方向に移動可能に設けられ、搬送手段ＣＶ上の対象物Ｗに対しヒータ１５を進退させる駆動機器としてのシリンダ１６と、中間体１５Ｂの上面に設けられたブラケット１７とを備えている。ヒータ１５は、下面が発熱可能に設けられ、包装シートＷ１外周側に接したときに、２枚折りになった包装シートＷ１の開放辺である３方（図２中二点鎖線で示される）を溶着してシール可能となっている。ブラケット１７は、中間体１５Ａ上面から立設された一対の起立部１７Ａと、これら起立部１７Ａの上端間を連結して中間体１５Ｂと平行に延びる水平部１７Ｂとを備えている。
【００１９】
前記シート貼付装置１０は、接着シートＳを供給する供給手段２１と、供給手段２１から供給された接着シートＳを保持する保持手段２２と、保持手段２２をブラケット１７に連結可能に設けられた接続手段２３とを備えている。
【００２０】
前記供給手段２１は、ヒータ１５の側方体１５Ａ間に位置し、図示しないスタンドに支持されたフレームＦ内に支持されている。供給手段２１は、駆動機器としてのモータＭによって回転される駆動ローラＤＲとピンチローラＰＲとによって、帯状の剥離シートＲＬを繰り出す途中でピールプレート２５により折り返し、当該剥離シートＲＬに仮着された接着シートＳを一枚ずつ剥離して保持手段２２側に供給可能に設けられている。
【００２１】
前記保持手段２２は、接着シートＳの接着面側の反対面側から保持可能な保持面２２Ａを有する吸着ヘッドからなり、吸着面２２Ａは図示しない減圧ポンプに接続されている。また、保持手段２２の上面には、先細形状とされたピンＰが設けられており、フレームＦには、ピンＰの先端側（先細形状側）を受容可能な位置決め手段ＰＳが設けられている。位置決め手段ＰＳでは、保持手段２２が受取位置Ｐ１に位置するときに、受容部ＰＳ１内にピンＰの先細形状部がぴたりと嵌り合い、これにより、保持手段２２の供給手段２１との相対位置を位置決め可能となっている。また、位置決め手段ＰＳには、センサＳＥが設けられており、当該センサＳＥは、受容部ＰＳ１内でピンＰの先端がぴたりと嵌り合ったときにその有無を検出可能に設けられている。なお、ピンＰを磁着体で構成して位置決め手段ＰＳを磁石で構成したり、磁石をうめ込んだりしてもよい。また、位置決め手段ＰＳは、モータ等の駆動機器によって保持手段２２を受取位置Ｐ１に位置するように、挟み込んだり、嵌め合ったりして保持する構成してもよい。
【００２２】
前記接続手段２３は、正面視Ｃ字状に形成されてブラケット１７の中間体１７Ｂに着脱自在に設けられた装着部２７と、装着部２７の右側に設けられたダンパー手段２８と、ダンパー手段２８と保持手段２２との間に設けられた揺動手段２９とを備えている。装着部２７の上面側には、ロックねじ３１が設けられており、このねじ込みにより、ロックねじ３１の先端を中間体１７Ｂに押し付けて当該中間体１７Ｂに接続手段２３を固定できるようになっている。ダンパー手段２８は、上下動可能なスライダ２８Ａを含み、このスライダ２８Ａに揺動部材２９が連結されている。スライダ２８Ａは、下方向に常時は付勢されている。揺動部材２９は、左右方向に延びるバネや樹脂等からなる弾性体からなり、保持手段２２を揺動可能となっている。なお、ロックねじ３１を緩めて保持手段２２を中間体１７Ｂに沿って移動させることで、シート貼付面Ｗ３に対する接着シートＳの貼付位置を変更することができる。
【００２３】
次に、本実施形態の全体的な動作について説明する。
【００２４】
先ず、準備作業として、ブラケット１７に接続手段２３の装着部２７を装着する。その後、ロックねじ３１をねじ込み操作し、保持手段２２を位置決めしてヒータ１５に保持手段２２を連結する。そして、ヒータ１５が搬送手段ＣＶの上方で待機する所定の待機位置で、ピンＰの先細形状部がぴたりと位置決め手段ＰＳに嵌り合う位置に、供給手段２１を図示しないスタンドを介して配置させる。これにより、受取位置Ｐ１における保持手段２２と供給手段２１との相対位置を位置決めすることができる。
【００２５】
次いで、搬送手段ＣＶによって、２枚折りの包装シートＷ１内側に梱包物Ｗ２が配置された対象物Ｗを搬送する。そして、対象物Ｗが保持手段２２の直下位置まで搬送されると、図示しないセンサによって検知され、搬送手段ＣＶによる対象物Ｗの搬送が停止される。次に、供給手段２１において、センサＳＥがピンＰの先端を検知していることを条件として、接着シートＳがピールプレート２５により剥離シートＲＬから剥離され、受取位置Ｐ１で待機する保持手段２２の下方に供給される。そして、減圧ポンプ（図示省略）を作動させ、吸着面２２Ａにより接着シートＳが吸着保持される。なお、接着シートＳには、送り主側のロゴや、保証書等の定型句が予め印刷されている。
【００２６】
次いで、シリンダ１６を駆動してヒータ１５を下降させ、図１中二点鎖線で示される位置でヒータ１５により２枚重なった包装シートＷ１を溶着してシールする。このとき、ヒータ１５の下降と共に保持手段２２も下降され、当該下降によって吸着面２２Ａに吸着された接着シートＳが包装シートＷ１におけるシート貼付面Ｗ３に押圧されて貼付される。ここで、接着シートＳ押圧時に、対象物Ｗの高さに応じてダンパー手段２８のスライダ２８Ａが図１（Ｂ）の矢印方向に作動し、所定範囲内の押圧力で接着シートＳを対象物Ｗに貼付可能となっている。また、シート貼付面Ｗ３が傾斜している場合、当該傾斜に追従するように揺動手段２９を介して保持手段２２が図１（Ｃ）の矢印方向に揺動し、接着シートＳの貼付が行われる。接着シートＳの貼付後、吸着面２２Ａでの接着シートＳの吸着を解除し、シリンダ１６を作動してヒータ１５及び保持手段２２を初期位置に復帰させる。そして、以後前記と同様の動作が行われることとなる。
【００２７】
従って、このような実施形態によれば、接続手段２３によりヒータ１５に保持手段２２を簡単且つ短時間で連結することができる。これにより、シリンダ１６の駆動によってヒータ１５と保持手段２２を一緒に昇降でき、ヒータ１５及び保持手段２２それぞれにシリンダを設ける場合に比べて構成の簡略化を図ることが可能となる。しかも、ヒータ１５によるシールと、保持手段２２に吸着された接着シートＳの貼付とを略同じタイミングで行うことができ、これらを別々の装置で行う場合の比べ、単位時間当たりの処理能力向上を図ることが可能となる。
【００２８】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、保持手段２２の吸着面２２Ａに、図示しない弁等を介して加圧ポンプを更に接続してもよい。この場合、ヒータ１５の下降によって、対象物Ｗから若干離れた位置まで保持手段２２を接近させた後、前記加圧ポンプを作動して接着シートＳを対象物Ｗに向かって吹き付け、当該接着シートＳを対象物Ｗに押圧して貼付可能となる。
【００３０】
また、接続手段２３は、種々の設計変更が可能であり、例えば、保持手段２２に設けられるアングル部材により接続手段２３を形成し、当該アングル部材にねじを貫通可能な穴を設けてもよい。そして、ヒータ１５側に前記ねじが係合可能なねじ穴を形成することで、ヒータ１５と保持手段２２とを連結させることができる。更に、ブラケット１７は、接続手段２３により接続可能な限りにおいて、プレート状にする等、変更してもよい。
【００３１】
また、供給手段２１は、接着シートＳを供給できる限りにおいて、例えばラベルプリンタ等、種々の変更が可能である。供給手段２１にラベルプリンタを採用した場合には、対象物Ｗの配送先や内容物の物品名等の可変情報を接着シートＳに印字することができる。
【００３２】
更に、前記実施形態では、シート貼付装置１０をシール装置１１に用いた場合を説明したが、接着シートＳが貼付されるシート貼付面を有する対象物に対し、シールとは異なる所定処理を施す被移動体を備えた他の処理装置にシート貼付装置１０を用いてもよい。例えば、帯状シートに離間接近することで、当該帯状シートを切断して枚葉シートを製造する切断手段を備えた切断装置等にシート貼付装置１０を用いてもよい。この場合、カッター刃等の切断手段が被移動体とされ、接続手段２３を介して保持手段２２を切断手段に連結させ、帯状シートの切断と略同じタイミングで枚葉シートのシート貼付面に接着シートを貼付するように構成することができる。
また、対象物にスタンプや印刷を施すスタンパや刷版を被移動体としたり、複数の対象物を接続する接続手段を被移動体としたりすることができる。
更に、前記実施形態における駆動機器は、回動モータ、直動モータ、単軸ロボット、多関節ロボット等の電動機器、エアシリンダ、油圧シリンダ、ロッドレスシリンダ及びロータリシリンダ等のアクチュエータ等を採用することができる（実施形態で例示したものと重複するものもある）。
【符号の説明】
【００３３】
１０  シート貼付装置
１１  シール装置（処理装置）
１５  ヒータ（被移動体）
２１  供給手段
２２  保持手段
２２Ａ  吸着面
２３  接続手段
２８  ダンパー手段
２９  揺動手段
Ｐ  位置決め手段
Ｓ  接着シート
Ｗ  対象物
Ｗ１  包装シート
Ｗ３  シート貼付面
【図１】
0005628554.tif 000002
【図２】
0005628554.tif 000003